(57)【特許請求の範囲】
【請求項１】
無線通信システム内で使用するために、遠隔ユニットにより使用される集積期間を決定する方法であって、
第１の基地局により送信され、遠隔ユニットにより受信された信号の強度を測定し、
前記信号強度に応じて集積期間を選択し、そして
少なくとも１つの他の基地局により送信された信号をモニターするときに、前記選択された集積期間を使用する
ことを含む方法。
【請求項２】
前記第１の基地局は優先される基地局である、請求項１の方法。
【請求項３】
前記選択された集積期間は、複数の他の基地局をモニターするときに使用される、請求項１の方法。
【請求項４】
第１の基地局からの前記信号は、パイロット信号である、請求項１の方法。
【請求項５】
前記少なくとも１つの他の基地局からの前記信号は、パイロット信号である、請求項１の方法。
【請求項６】
第１の基地局からの前記信号は、同期信号である、請求項１の方法。
【請求項７】
前記少なくとも１つの他の基地局からの信号は、同期信号である、請求項１の方法。
【請求項８】
前記選択された基地局は、優先される基地局である、請求項１の方法。
【請求項９】
前記少なくとも１つの選択されない基地局は、複数の隣接する基地局を含む、請求項１項の方法。
【請求項１０】
選択された基地局からの前記信号は、パイロット信号である、請求項１の方法。
【請求項１１】
前記少なくとも１つの選択されない基地局からの前記信号は、パイロット信号である、請求項１の方法。
【請求項１２】
選択された基地局からの前記信号は、同期信号である、請求項１の方法。
【請求項１３】
前記少なくとも１つの選択されない基地局からの前記信号は、同期信号である、請求項１の方法。
【請求項１４】
もし前記信号強度が閾値レベルより下であれば、第１の集積期間が選択され、そしてもし前記信号強度が前記閾値レベルに等しいかあるいは超えていれば、第２の集積期間が選択される、請求項１の方法。
【請求項１５】
複数の閾値が存在し、そして前記集積期間は、前記信号強度が閾値と交差する毎に変更される、請求項１の方法。
【請求項１６】
前記符号化された信号は同期信号である、請求項１の方法。
【請求項１７】
前記第１の基地局は優先される基地局である、請求項１の方法。
【請求項１８】
前記少なくとも１つの他の基地局は複数の隣接する基地局である、請求項１の方法。
【請求項１９】
複数の基地局を有する無線通信システムにおいて遠隔ユニットにより使用される集積期間を決定する方法であって、各基地局は隣接する基地局と異なるオフセット時間においてＰＮ符号化信号を送信するよう構成され、そして少なくとも１つの遠隔ユニットは基地局によって送信された前記ＰＮ符号化信号を受信するように構成され、
選択された基地局によって送信されそして遠隔ユニットによって受信された信号の信号強度を測定し、
前記信号強度に応じて集積期間を選択し、そして
モニター信号が少なくとも１つの選択されていない基地局によって送信された場合、前記選択された集積期間を使用する
ことを含む方法。
【請求項２０】
無線通信システム内で使用するための遠隔ユニットであって、
基地局によって送信されそして遠隔ユニットによって受信される信号の信号強度を測定する手段、
前記信号強度に応じて集積期間を選択する手段、そして
前記選択された集積期間を使用して少なくとも１つの選択されていない基地局によって送信された信号をモニターする手段
を含む遠隔ユニット。
【請求項２１】
無線通信システム内で使用するための遠隔ユニットであって、
受信された信号の信号強度を決定し、そして基地局によって送信された信号に関し探索を実行するように構成された探索エンジン、そして
選択された探索パラメータを探索エンジンに渡し、
探索結果を受信し、
前記受信された信号の前記決定された信号強度を評価し、
基地局によって送信された信号に関する探索に使用される集積期間を選択する
ように構成された前記探索エンジンと通信する制御器
を含む遠隔ユニット。
【請求項２２】
無線通信システム内で使用するために、遠隔ユニットにより使用される集積期間を決定する方法であって、
第１の基地局により送信された符号化された信号を遠隔ユニットにより受信し、
前記符号化された信号を復号し、
前記符号化された信号内のビット誤りの数を決定し、
前記ビット誤りの数に応じて集積期間を選択し、そして
少なくとも１つの他の基地局により送信された信号をモニターするときに、前記集積期間を使用する
ことを含む方法。
【請求項２３】
前記制御器は、前記決定された信号強度が複数の閾値レベルのうちの１つと交差する毎に選択される前記集積期間が変化するように構成されている請求項２１の遠隔ユニット。
【請求項２４】
前記制御器は、前記決定された信号強度が閾値レベルより下であれば、第１の集積期間を選択し、前記決定された信号強度が閾値レベルに等しいかあるいは超えるときは、第２の集積期間を選択するように構成されている、請求項２１の遠隔ユニット。
【発明の詳細な説明】
【０００１】
【発明の属する技術分野】
本発明は、無線通信システムに関する。とくに本発明は、無線通信システムの遠隔ユニットにおける、集積期間（integration interval）の動的な調整に関する。
【０００２】
【従来の技術】
無線通信システムは、複数の遠隔ユニットおよび複数の基地局を含むかも知れない。図１は、３個の遠隔ユニット１０Ａ、１０Ｂ、および１０Ｃ、および２個の基地局１２を備えた地上無線通信システムの実施例を示している。図１においては、３個の遠隔ユニットは、自動車１０Ａに設置された移動電話ユニット、遠隔のポータブルコンピュータ１０Ｂ、および無線ローカルループあるいはメーター読み取りシステムに見られるであろうような、固定位置ユニット１０Ｃとして示されている。遠隔ユニットは、たとえば、ハンドヘルドパーソナル通信システムユニット、パーソナルデータアシスタントなどのポータブルデータユニット、あるいはメーター読み取り装置などの固定位置データユニットなど、任意の形式の通信ユニットであるかも知れない。図１は、基地局１２から遠隔ユニット１０への順方向リンク１４および、遠隔ユニット１０から基地局１２への逆方向リンク１６を示している。
【０００３】
無線チャネルにおける、遠隔ユニットおよび基地局間の通信は、限定された周波数スペクトル内に多数のユーザの利用を容易にする多様な多元接続技術の一つを用いることにより達成されることができる。これらの多元接続技術は、時分割多元接続（ＴＤＭＡ）、周波数分割多元接続（ＦＤＭＡ）、および符号分割多元接続（ＣＤＭＡ）を含んでいる。ＣＤＭＡに関する業界の基準は、“デュアルモード広帯域拡散スペクトルセルラシステム”と題する、ＴＩＡ／ＥＩＡ暫定基準、ＴＩＡ／ＥＩＡ／ＩＳ‐９５、およびその派生資料（ここではＩＳ‐９５としてまとめて参照される）に述べられており、これらの内容は、本特許の中に参照によってことごとく組み込まれている。ＣＤＭＡ通信システムに関する付加的な情報は、本発明の譲渡人に譲渡され、そして本特許の中に参照によってことごとく組み込まれている、“衛星あるいは地上中継局を用いている拡散スペクトル多元接続通信システム”と題する米国特許４，９０１，３０７（’３０７特許）の中に開示されている。
【０００４】
’３０７特許においては、多元接続技術は、それぞれトランシーバを有している多数の移動電話システムのユーザが、ＣＤＭＡ拡散スペクトル通信信号を用いて、基地局と通信する場合について開示されている。’３０７特許に開示されているＣＤＭＡ変調技術は、ＴＤＭＡおよびＦＤＭＡなどの無線通信システムに使用されている他の変調技術に勝る、多くの利点を提供している。たとえば、ＣＤＭＡは、周波数スペクトルが多数回再使用されることを許容しており、それによってシステムユーザ容量の増加を許容している。さらに、ＣＤＭＡ技術の使用は、その利点を利用する一方で、マルチパスの不利な効果、たとえばフェージング（fading）、の軽減によって克服すべき地上チャネルに関する特別な問題を許容している。
【０００５】
無線通信システムにおいては、基地局および遠隔ユニット間を伝搬するときに、信号はいくつかの異なった伝搬経路を進むかも知れない。無線チャネルの特性によって発生するマルチパス信号は、通信システムに対する課題を与えている。マルチパスチャネルの一つの特性は、チャネルを経て送信される信号に誘起される時間の広がりである。たとえば、もしも理想的なインパルスがマルチパスチャネル上に送信されると、受信された信号は、パルスの流れとして現れる。マルチパスチャネルの他の特性は、チャネルを通るそれぞれの経路は、異なった減衰係数の原因となるかも知れないことである。たとえば、もしも理想的なインパルスがマルチパスチャネル上に送信されると、受信されたパルスの流れのそれぞれのパルスは、通常他の受信されたパルスとは異なった信号強度を有する。マルチパスチャネルのさらに他の特性は、チャネルを通るそれぞれの経路が、信号の異なった位相の原因となるかも知れないことである。たとえば、もしも理想的なインパルスがマルチパスチャネル上に送信されると、受信されたパルスの流れのそれぞれのパルスは、通常他の受信されたパルスとは異なった位相を有している。
【０００６】
無線チャネルにおいては、マルチパスは環境内の障害物、たとえば建物、樹木、自動車、そして人間などからの信号の反射によって生成される。したがって、無線チャネルは通常、マルチパスを生成している構造物の相対運動に起因して、時間とともに変化するマルチパスチャネルである。たとえば、もしも理想的なインパルスが時間とともに変化するマルチパスチャネル上に送信されると、受信されたパルスの流れは、理想的なインパルスが送信される時刻の関数として、時間遅延、減衰、および位相が変化する。
【０００７】
チャネルのマルチパス特性は、遠隔ユニットによって受信された信号に影響することがありうる。そしてとくに、信号のフェージングを引き起こす。フェージングは、マルチパスチャネルの位相特性の結果である。減衰は、マルチパスベクトルが破壊的に加わったときに、どちらの個々のベクトルよりも振幅のより小さい受信信号を生じて発生する。たとえば、もしも正弦波が、第１の経路は、 ＸｄＢの減衰定数、Θラジアンの位相シフトをもったδなる時間遅延を有し、そして第２の経路は、 ＸｄＢの減衰定数、Θ＋πラジアンの位相シフトをもったδなる時間遅延を有するような、二つの経路を有するマルチパスチャネルを経由して送信されれば、チャネルの出力においては、等しい振幅と反対の位相を有するこの二つの信号は互いに打ち消し合うために、信号は受信されない。したがって、フェージングは、無線通信システムの特性に、きびしい負の影響を有するかも知れない。
【０００８】
ＣＤＭＡ通信システムは、マルチパス環境における動作に対して最適化されている。たとえば、順方向リンクおよび逆方向リンク信号は、高周波擬似雑音（ＰＮ pseudonoise）系列で変調されている。ＰＮ変調は、“レイク（rake）”受信機設計の使用を通して、分離して受信されるべき同一信号に関する、多くの異なったマルチパス事例を許容する。レイク受信機においては、一連の復調エレメントの中の各エレメントは、信号の個々のマルチパス事例に割り当てられることができる。復調エレメントの復調された出力は、そこで、結合された信号を発生するために結合される。このようにして、マルチパス信号事例のすべては、結合された信号が深い変動を経験する前に、ともに変動するに違いない。
【０００９】
ＣＤＭＡのための業界標準、ＩＳ９５に基づいた通信システムにおいては、複数の基地局のそれぞれは、共通のＰＮ系列を有しているパイロット信号を送信する。それぞれの基地局は、遠隔ユニットにおいて信号が互いに識別できるように、隣接した基地局と時間的にずらされたパイロット信号を送信する。任意の与えられた時刻において、遠隔ユニットは、複数の基地局から種々のパイロット信号を受信するかも知れない。局部ＰＮ発信器によって生成されたＰＮ系列のコピーを用いて、遠隔ユニットにより、ＰＮ空間全体を探索することができる。探索の結果を用いて、制御器は、複数の基地局からのパイロット信号を、そのオフセットに基づいて識別する。
【００１０】
遠隔ユニットにおいては、制御器は、復調エレメントを利用可能なマルチパス信号事例に割り当てるために使用される。探索エンジン（search engine）は、受信された信号のマルチパス成分に関係する制御器に、データを与えるために使用される。探索エンジンは、基地局によって送信されたパイロット信号のマルチパス成分に関する、到来時刻および振幅を測定する。共通の基地局によって送信された、パイロット信号およびデータ信号に対するマルチパス環境の影響は、信号が同一チャネルを経て同時に進むために、非常に類似している。その結果、パイロット信号に対するマルチパス環境の影響を決定することは、制御器が復調エレメントをデータチャネルマルチパス信号事例に割り当てることを許容する。
【００１１】
探索エンジンは、可能性のあるＰＮオフセットの系列を通じての探索および、可能性のあるＰＮオフセットそれぞれにおける、受信されたパイロット信号のエネルギー（energy）の測定によって、遠隔ユニットの近傍の基地局のパイロット信号に関するマルチパス成分を決定する。制御器は、可能性のあるオフセットと組み合わせられたエネルギーを評価し、そして、もしもそれが限界値を超えていれば、信号復調エレメントをそのオフセットに割り当てる。探索エネルギーレベルに基づいた復調エレメントの割り当てに関する方法および装置は、“複数の信号を受信することの可能なシステムにおける復調エレメントの割り当て”と題する、本発明の譲渡人に譲渡された米国特許５，４９０，１６５（’１６５特許）の中に開示されている。
【００１２】
図２は、基地局から遠隔ユニットに到着する単一のパイロット信号に関するマルチパス信号事例の一連の例を示している。垂直軸は、受信されたパワーをデシベル（ｄＢ）で表している。水平軸は、マルチパス遅延に起因する信号事例の到着時刻の遅延を表している。ページの中に向かっている軸（図示せず）は、時間の区分を示している。ページの共通面内のそれぞれの信号スパイクは、共通の時刻に遠隔ユニットに到着しているが、異なった時刻に基地局により送信されている。それぞれの信号スパイク２２‐２７は、異なった経路を進んできており、そしてその結果異なった時間遅延、異なった振幅、および異なった位相応答を示している。スパイク２２‐２７によって示される６個の異なった信号スパイクは、きびしいマルチパス環境の典型である。典型的な郊外環境は、より少ない使用可能な経路を生じる。システムのノイズフロア（noise floor）は、より低いエネルギーレベルを有しているピークとディップ（dip）によって示される。探索エンジンの任務は、可能性のある復調エレメント割り当てのために、信号スパイク２２‐２７に関して、水平軸によって測定されたような遅延、垂直軸によって測定されたような振幅を識別することである。
【００１３】
図２に示されたように、マルチパスピークのそれぞれは、各マルチパスピークの凹凸ある隆起によって示されるように、振幅が時間の関数として変化していることに留意すべきである。限定された時間について示されたように、マルチパスピークに大きな変化はない。より引き伸ばされた時間範囲に対しては、マルチパスピークは消失し、時間の経過に伴って新しい経路が生成される。マルチパスピークは、時間中互いに融合し、あるいは広いピークの中に混入してしまうようである。
【００１４】
典型的には、探索エンジンの動作は、制御器によって監視されている。制御器は、探索エンジンに、探索ウインドウと呼ばれる、１個あるいはそれ以上の復調エレメントの割り当てに適したマルチパス信号ピークを含んでいそうな、一連のオフセットを経由して進むことを命令する。探索エンジンは制御器に対して、それぞれのオフセットに対して、オフセットに見られたエネルギーを返報する。復調エレメントはそこで制御器によって、探索エンジンにより識別された経路に割り当てられるかも知れない（すなわち、それらのＰＮ発生器のタイミングリファレンスが、識別された経路のタイミングと整合している）。一度復調エレメントが信号上にロックされてしまえば、そこで復調エレメントは、経路が姿を消すまで、あるいは復調エレメントが制御器によって他の経路に割り当てられるまでは、制御器の監視なしに自身でその経路を追跡する。
【００１５】
以上に述べたように、与えられた地理的領域内のそれぞれの基地局は、共通したＰＮパイロット系列の系列オフセットを割り当てられる。たとえば、ＩＳ‐９５によれば、２１５チップ（すなわち、ＰＮ系列における１ビット）を有しており、２６．６６ミリ秒（ｍｓ）毎に繰り返しているＰＮ系列は、５１２個のＰＮ系列オフセットの一つで、パイロット信号として、システム内のそれぞれの基地局によって送信されている。 ＩＳ‐９５オペレーションに従って、基地局は継続的に、たとえば、遠隔ユニットが動作しているマルチパス環境、および基地局タイミングに対する遠隔ユニットタイミングの同期を決定することなどの他の機能に加えて、遠隔ユニットによって基地局を識別するために使用されうるパイロット信号を送信する。
【００１６】
最初の電力投入の期間中、あるいは異なった動作周波数への困難なハンドオフの実行のときなど遠隔ユニットがパイロット信号を見失ったときなど任意の他の状況において、遠隔ユニットはパイロットＰＮ系列に関するすべての可能なＰＮオフセットを評価する。典型的には、探索エンジンは、対応するオフセットで与えられるパイロット信号に関する、正確な測定が得られるような測定レートで続けながら、すべての可能なＰＮオフセットにおけるパイロット信号強度を測定する。この方法を続けながら、探索エンジンは、遠隔ユニットに地理的に近い基地局のＰＮオフセットを決定する。この方法による各ＰＮオフセットの探索は、取得中のチャネル条件に従って、数１００ミリ秒から数秒の何れかで行うことができる。パイロット信号を再取得するための遠隔ユニットに対する時間の総量は、遠隔ユニットの動作にとっては有害であり、遠隔ユニットのユーザにとっては嫌われるかも知れない。
【００１７】
図３は、水平軸上のＰＮスペースの引き伸ばされた部分を示している。ピーク３０、３２、および３４のグループは、３個の異なった基地局からの送信を示している。示されているように、それぞれの基地局信号からの信号は、異なったマルチパス環境を経験している。また、各基地局は、ＰＮリファレンス（PN reference）３６とは異なったＰＮオフセットを有している。したがって、制御器は何れかの識別された基地局に対する探索ウインドウに対応している一連のＰＮオフセットを選択するかも知れない。このことは、復調エレメントを適切に割り当てることによって、遠隔ユニットが、複数の基地局からの信号を同時に復調することを許容する。
【００１８】
典型的なＣＤＭＡ通信システムにおいては、遠隔ユニットは、散発的に基地局との双方向通信を確立する。たとえば、セルラ電話は、処理中の呼がない場合、意味のある時間中アイドルに留まる。しかしながら、遠隔ユニットに向けられた任意のメッセージが受信されることを保証するためには、遠隔ユニットは、それがアイドルである間でさえも、通信チャネルを連続的にモニターする。たとえば、アイドルの間、遠隔ユニットは到来呼を検出するために、基地局からの順方向リンクチャネルをモニターする。このようなアイドル期間中、セルラ電話は、基地局からの信号をモニターするのに必要な、エレメントを維持するための電力消費を続ける。多くの遠隔ユニットはポータブルであり、内部電池によって電力が与えられている。たとえば、パーソナル通信システム（ＰＣＳ）ハンドセットは、ほとんど例外なく電池電源である。アイドルモードにおける、遠隔ユニットによる電池資源の消費は、呼が発生しあるいは受信されたときに、遠隔ユニットが利用できる電池資源を減少させる。その結果、アイドル状態における遠隔ユニット内の電力消費を最小とし、そしてそれによって電池寿命を増加することが望まれる。
【００１９】
通信システムにおいて遠隔ユニット電力消費を減少させる一つの手段は、“移動通信受信機における電力消費減少のための装置および方法”と題する、本発明の譲渡人に譲渡され、参照によって本特許に完全に組み込まれている、米国特許５，３９２，２８７（’２８７特許）の中に開示されている。’２８７特許においては、アイドルモードで動作している遠隔ユニット（すなわち、基地局との双方向通信に従事していない遠隔ユニット）内の電力消費低減のための技術が開示されている。アイドルにおいては、それぞれの遠隔ユニットは周期的に“アクティブ”状態、すなわち順方向リンク通信チャネル上で準備を行い、そしてメッセージを受信する期間に入る。連続するアクティブ状態の間の期間に、遠隔ユニットは“インアクティブ”状態に入る。遠隔ユニットのインアクティブな期間中、基地局は、アクティブ状態にあるシステム内の他の遠隔ユニットにはメッセージを送出するかも知れないが、その遠隔ユニットにはいかなるメッセージをも送出しない。
【００２０】
’２８７特許に開示されたように、基地局は、基地局のカバー領域にあるすべての遠隔ユニットによって受信されるメッセージを、“ページングチャネル（paging channel）”上に放送する。基地局のカバー領域にあるすべてのアイドル遠隔ユニットは、ページングチャネルをモニターする。ページングチャネルは“スロット（slot）”の連続した流れに、時間の次元について分割される。スロッテッドモード（slotted mode）で動作している それぞれの遠隔ユニットは、アクティブ（割り当てられた）スロットとして割り当てられている特定のスロットのみをモニターする。ページングチャネルは、継続的にメッセージを、たとえば６４０スロット毎のようにスロット系列を繰り返して、付番されたスロットに送信する。遠隔ユニットが基地局のカバー領域に入り、あるいは、もしも遠隔ユニットが最初に電力を投入されるときは、遠隔ユニットは、その存在を優先される基地局（preferred base station）に通報する。典型的には、優先される基地局は、遠隔ユニットによって測定されたときにもっとも強いパイロット信号を有する基地局である。
【００２１】
複数の地理的に近い隣接の基地局に沿って優先される基地局は、遠隔ユニットに対してモニターのために、基地局それぞれのページングチャネルの中に、１個のスロットあるいは複数のスロットを割り当てる。基地局は、もしも必要ならば、ページングチャネルの中のスロットを、遠隔ユニットに制御情報を送信するために使用する。遠隔ユニットはまた、基地局スロットタイミングに遠隔ユニットが時間の次元で整合することを許容している、優先される基地局からのタイミング信号をモニターするかも知れない。優先権のある基地局スロットタイミングに、時間の次元で整合することによって、遠隔ユニットは、いつページングチャネルスロット系列が開始するかを決定することができる。その結果、いつページングチャネルスロット系列が開始するか、どのスロットがモニターのために割り当てられているか、スロットの繰り返しページングチャネル系列におけるスロットの総数、および各スロットの期間を知ることで、遠隔ユニットは、いつその割り当てられたスロットが生ずるかを決定することができる。
【００２２】
一般的に、遠隔ユニットは、基地局が遠隔ユニットの割り当てられた組み合わせの中にないスロット内のページングチャネルに送信している間、インアクティブ状態にある。インアクティブ状態の間、遠隔ユニットは、内部のクロックソースを用いてスロットタイミングを保持するが、基地局によって送信されるタイミング信号はモニターしない。さらに、インアクティブ状態の間、遠隔ユニットは、たとえば、探索エンジンを含む無線チャネル内の変化を検出するため基地局によって送信されるパイロット信号をモニターする回路などの、選択された回路から電力を取り除くかも知れない。その内部のタイミングを用いて、遠隔ユニットは、割り当てられたスロットの次の生起の短時間前に、そのアクティブ状態に移行する。
【００２３】
アクティブ状態に移行するときに、遠隔ユニットは、探索エンジンを含む無線チャネルをモニターする回路に電力を供給する。探索エンジンは、優先される基地局のパイロット信号を再取得し、そして、遠隔ユニットの移動あるいは基地局のカバー領域内の対象物の移動に起因して生じているかも知れない、無線チャネル内の変化を検出するために使用される。パイロット信号の再取得に加えて、遠隔ユニットは、割り当てられたスロットの開始におけるメッセージ受信の準備に、何らかの他の動作あるいは初期化を行うかも知れない。
【００２４】
遠隔ユニットがアクティブ状態に入るときに、遠隔ユニットはページングチャネル内の割り当てられたスロットにメッセージを受信し、基地局からの命令に応答することができる。たとえば、遠隔ユニットは、到来呼に応じて次の音声通信を行うための、双方向通信リンクを確立するために、“トラフィック”チャネルをアクティブにすることを命令されるかも知れない。もしも基地局からのメッセージ、あるいは遠隔ユニットにアクティブに留まることを要求する命令がなければ、割り当てられたスロットの終期に、遠隔ユニットはインアクティブな状態に復帰する。さらに、もしも基地局によってそうするよう命令されれば、遠隔ユニットは、インアクティブ状態に直ちに復帰する。
【００２５】
その割り当てられたスロットの期間中、遠隔ユニットの探索エンジンは、隣接した基地局のパイロット信号の強度と同様に、優先される基地局のパイロット信号強度を測定する。もしも遠隔ユニットが、一つの基地局のカバー領域から他の隣接する基地局のカバー領域に位置を変更するときは、遠隔ユニットは、隣接する基地局に“ハンド‐オフ”する必要がある。ハンド‐オフは、隣接した基地局の送信されたパイロット信号強度が、優先される基地局よりも十分に強くなったときに生じる。これが生じるとき、隣接した基地局は、優先される基地局として指定される。ハンド‐オフに続いて、次のアクティブ状態において、遠隔ユニットは、メッセージおよび命令を受信するために、新しく優先権のある基地局のページングチャネルをモニターする。
【００２６】
ハンド‐オフが生じるであろう時期を決定するためのデータを与えることに加えて、優先される基地局のパイロット信号の探索は、遠隔ユニットが、マルチパス環境における変化を補償するための調整を行うことを許容する。たとえば、マルチパス信号事例の一つが、使用できない点まで弱くなったときは、遠隔ユニットは、それに応じて復調エレメントを再割り当てするかも知れない。
【００２７】
隣接する基地局の組み合わせとともに、優先権を有する基地局の公称ＰＮオフセットを知ることで、典型的には、制御器は、パイロット信号のマルチパス信号事例が見いだされそうなＰＮオフセットを明細に示した、一連の探索パラメータを探索エンジンに引き渡す。探索の完了のときに、探索エンジンは探索結果を制御器に引き渡す。制御器は探索結果を分析し、次の探索のために、一組の探索パラメータを選択する。新しい探索パラメータの選択に続いて、制御器はパラメータを探索エンジンに引き渡し、そして探索過程は繰り返される。この過程は遠隔ユニットが再びインアクティブなアイドル状態に入るまで繰り返される。
【００２８】
探索は遠隔ユニットが割り当てられたスロットの期間中のみ起きるので、限定された期間が実行されるべき探索のために利用可能である。遠隔ユニットによって実行される探索の数を増加することは、優先される基地局のマルチパス環境に関する一層の情報を与えることとともに、一層強固な通信システムに導いて、ハンド‐オフが生じるであろう時期を決定する能力を改善するであろう。しかしながら、より長い期間アクティブ状態に留まることは、より電力を消費し、遠隔ユニットの電池寿命を減少する。
【００２９】
その結果、業界には、遠隔ユニットの探索過程の効率および精度を増加するための方法および装置に対するニーズが存在する。
【００３０】
【課題を解決するための手段】
本発明は、探索の集積期間が優先される基地局のパイロット信号強度に応じて調整されるシステムおよび方法を与えることにより上記およびその他の関心事に対処する。一般に、優先される基地局のパイロット信号強度が増加するとともに、集積期間は減少される。優先される基地局の信号が増加するとともに、十分な信号対雑音比を得るために、そしてハンドオフの機会の正しい評価のために測定を集積するニーズはより少なくなる。
【００３１】
探索は、遠隔ユニットがアクティブ状態にある間に、遠隔ユニットによって実行される。アクティブ状態の間、遠隔ユニットはそのインアクティブ状態にあるときよりもより電力を消費する。電力消費を減少し、そして電池寿命を引き伸ばすために、遠隔ユニットにとっては、ユニットがアクティブ状態にある時間の総量を減らすこと、そしてそれによって探索を実行することに利用できる時間の総量を減少することが望ましい。優先される基地局の信号強度に応じて、集積期間を動的に調整することは、遠隔ユニットの正常な動作のための適当な信号レベルをなお維持しながら、個々の探索の期間を減少する。
【００３２】
本発明の一つの観点においては、遠隔ユニットは、第１の基地局によって送信された信号の強度をモニターする。遠隔ユニットにより受信された信号強度に応じて、第２の基地局の探索期間中に使用される集積期間は動的に調整される。一般に、遠隔ユニットにより受信された第１の基地局からの信号強度が増加するとともに、集積期間は期間が減少される。同様に、遠隔ユニットにより受信された第１の基地局からの信号強度が減少するとともに、集積期間は期間が増加する。
【００３３】
他の観点においては、第１の基地局により送信された信号は、パイロット信号である。さらに、第１の基地局は優先される基地局であり、第２の基地局は複数の隣接した基地局である。
【００３４】
他の観点においては、閾値レベルは、遠隔ユニット内に確立されている。遠隔ユニットにより第１の基地局から受信された信号強度が閾値レベルよりも下のときは、第１の集積期間は第２の基地局を探索するために選択される。そしてもしも受信された信号強度が閾値レベルを超えていれば、第２の、より短い集積期間が選択される。
【００３５】
さらなる観点においては、一連の閾値は確立され、そして、遠隔ユニットにより受信された第１の基地局からの信号強度に従って調整された集積期間は何れかの個々の閾値を超え、あるいは以下に低下する。
【００３６】
【発明の実施の形態】
本発明の観点に関する特徴、目的、そして利点が、図面と関連させた場合に以下に記載する詳細な説明からより明白になろう。図面において同様の参照符号は、全体を通して同一のものと認定する。
【００３７】
図４は、スロッテッドモード通信システム（slotted mode communication system）において、遠隔ユニットの割り当てられたスロットにおける、インアクティブ状態からアクティブ状態への移行を示している代表的線図である。上の部分４１は、時間的に左から右へ流れるスロットの継続的な系列を示している。下の部分４３は、スロッテッドモード通信システムにおいて、遠隔ユニットがアクティブおよびインアクティブ状態間を移行する期間中に生じる事象を示しており、スロット５は、関係する遠隔ユニットに割り当てられたスロットである。下の部分に関する時間スケールは、移行がより詳細に示されうるように引き伸ばされている。
【００３８】
とくに、図４の下の部分４３は、インアクティブ状態４０からアクティブ状態４２への移行を示している。アクティブ状態４２においては、遠隔ユニットは、少なくともスロット５の一部の期間基地局信号をモニターする。スロット５の開始に先立ち、遠隔ユニットは、インアクティブ状態４０から移行状態４４を経てアクティブ状態４２に移行する。上述のように、インアクティブ状態４０においては、遠隔ユニットの電力消費を低減し、そして電池寿命を引き伸ばすように、遠隔ユニット内の選択された回路は電力を供給されない。たとえば、インアクティブ状態４０の期間中、電力は探索エンジンから取り外されるかも知れない。
【００３９】
移行状態４４の期間中、電力は遠隔ユニットの選択された回路に再び供給される。たとえば、もしも探索エンジンが電力供給されていなければ、移行状態４４において、電力は再び供給される。移行状態４４の期間は、遠隔ユニットが回路に電力を供給し、そして、移行状態４４の終期に探索を実行することを許容して遠隔ユニットが機能的になるように、機能を初期化するのを許容するのに十分である。
【００４０】
移行状態４４に続いて、遠隔ユニットはアクティブ状態４２に入る。アクティブ状態４２は二つの部分、準備期間４６および割り当てられたスロット期間４８からなる。準備期間４６の間に、優先される基地局の信号を取得するための初期探索が行われる。基地局により送信され、遠隔ユニットによりモニターされた信号は、たとえば、パイロット信号あるいは同期信号であるかも知れない。基地局により送信された信号を取得した後に、遠隔ユニットは、割り当てられたスロット期間４８の間ページングチャネルをモニターするために準備される。割り当てられたスロット期間４８は、スロット５の開始のときに開始する。
【００４１】
割り当てられたスロット期間４８の間、遠隔ユニットは、優先される基地局からのページングチャネル上のメッセージを受信する。名義上スロット５の完了のときに、割り当てられたスロット期間４８およびアクティブ状態４２は終了し、遠隔ユニットはインアクティブ状態４０に入る。遠隔ユニットの電力消費をさらに減少するために、基地局は遠隔ユニットに、スロット５の完了以前に、インアクティブ状態４０に入ることを命令するかも知れない。代わりに、もしも基地局がスロット５の間にメッセージの移送を完了することができなければ、基地局は遠隔ユニットに、スロット５の完了後も割り当てられたスロット期間４８に留まることを命令するかも知れない。その後、基地局は遠隔ユニットに、インアクティブ状態４０に入ることを命令する。探索は、インアクティブ状態４０に入るときに終了し、そしてそこで、電力は探索エンジンから取り外されることができる。
【００４２】
図５は、遠隔ユニット５０の選択された部分を示している機能的ブロック線図である。受信機５１は、無線リンク信号を受信する。受信機５１は、無線リンク信号の受け入れと、ダウンコンバージョンに対する備えをし、そしてまた、他の復調機能とともに、ＣＤＭＡ環境における逆拡散を与える。受信機５１は、その出力に一連のディジタル値を与える。
【００４３】
ＩＳ‐９５などのよく知られた無線プロトコルに従って、データは無線リンク上に送信される前に一連のブロックに分割される。ブロックは、無線リンク上に送信されたときにブロック順序が時系列的でないように、時間に対して再配列される。ブロックを送信するこの方法は、インターリービングとして参照され、ブロックを再配列する過程は、デインターリービングとして参照される。デインターリーバ５２は、デインターリービング機能を実行する。デインターリーバ５２は、受信機５１からサンプルを受信し、一連のブロックデータを累算する。一連の完全なブロックが受信されたときに、インターリーバ５２は、時系列的な順序にブロックを再配列し、そしてそれらを復号器５３に出力する。
【００４４】
一つの実施例においては、復号器５３は畳み込み復号器である。畳み込み復号器の一つの共通な形はビタビ復号器（Virterbi decoder）である。ビタビ復号器は、データのグループをもとにしてソフトデシジョンデータを生成する。復号器バッファが十分なデータを含むとき、データはメッセージ分析器（message parser）５４に渡される。メッセージ分析器５４は、メッセージ中のビットの収集、巡回冗長符号（ＣＲＣ：cyclic redundancy code）あるいは他の誤りチェッキング符号の何れであるかの計算と確認、メッセージの内部フォーマットへの翻訳、変換されたメッセージのバッファへのコピー、および変換されたメッセージの、通常のプロトコルタスクのための列上への配置などの機能を実行する。メッセージはフィールド‐バイ‐フィールド（field-by-field）で評価される。一般的に、復号器５３およびメッセージ分析器５４の処理は、制御器５５によって制御される。
【００４５】
制御器５５はまた、たとえば、ＲＡＭあるいは特定用途向け集積回路（ＡＳＩＣ）あるいは他の適切な電子記憶装置などのメモリ内に蓄えられた、探索リスト５６と通信する。さらに、制御器５５は、探索パラメータを探索エンジン５７に渡すように探索エンジンと通信する。探索エンジン５７は、探索結果をデータアレイ５８の中に保存するように、データアレイ５８と通信する。制御器５５はまた、データアレイ５８と通信し、それによって制御器５５がその中に保存された探索結果にアクセスする準備をする。一つの実施例においては、制御器５５はマイクロプロセッサである。制御器５５は、ＡＳＩＣ、フィールドプログラマブルゲートアレイ（ＦＰＧＡ）、ディスクリートロジック、アナログ回路、あるいは他の制御回路であるかも知れない。制御器５５および探索エンジン５７の両者は、同じＡＳＩＣ上に作製されることが可能である。さらに、探索リスト５６およびデータアレイ５８は、同じあるいは異なったＡＳＩＣ上に含まれることが可能である。遠隔ユニット５０内のハードウエアの構成は、新しいファームウエアをダウンロードすることによって、遠隔ユニットの現地におけるアップグレードを許容して、ファームウエアを通じて制御されるかも知れない。
【００４６】
一般的に、遠隔ユニット５０の動作は、制御器５５上で実行されるハードウエアおよびソフトウエアの構成によって制御される。ハードウエア構成はファームウエア、ソフトウエア、ディスクリートデバイスの配線（hardwiring）、あるいはこれらの任意の組み合わせによって確立されるかも知れない。
【００４７】
遠隔ユニット５０が、最初に電源投入されるときには、探索リスト５６の中には記載事項はない。遠隔ユニット５０は、“無線通信デバイスにおけるパイロット信号の高速取得”（代理人処理予定番号ＱＵＡＬＢ．０１２Ａ；Ｑｕａｌｃｏｍｍ参照番号ＰＤ９９０２５３）と題する、さきに参照した米国特許アプリケーションシリアル番号０９／５４０，１２８、あるいはパイロット信号強度を評価するための、他のよく知られた技術の中に開示された技術に従って探索を実行することができる。探索の終了のときに、探索結果は、データアレイ５８の中に保存される。
【００４８】
遠隔ユニット５０が、よく知られた技術に従って優先される基地局信号を再取得している後に、基地局は、隣接する基地局のために、ＩＳ‐９５に従って遠隔ユニット５０に対して公称ＰＮオフセットを送信する。遠隔ユニット５０は、これらのオフセットを用いて、隣接する基地局のパイロット信号を探索し、そしてそれらのパイロット信号の強度を測定する。制御器５５は、隣接する基地局の識別番号、測定されたパイロット信号強度、および測定時刻を含む探索リスト５６を作製する。遠隔ユニット５０によるその後の探索の間に、探索リスト５６の記載事項は更新される。したがって、探索リスト５６は、隣接する基地局の最も新しい測定されたパイロット信号強度、およびいつ測定がなされたかの表示を含んでいる。
【００４９】
一つの実施例においては、遠隔ユニット５０は、図４に示された割り当てられたスロット期間４８に入った後のみ、隣接する基地局からのパイロット信号に対する一般的探索を開始する。代わりに、隣接する基地局からのパイロット信号に対する一般的探索は、再取得と優先される基地局との整合にすぐ続いて遠隔ユニットがなお準備期間４６にある間に開始する。一般的探索の期間中、遠隔ユニットは、優先される基地局のパイロット信号強度の測定を続けることができる。
【００５０】
図６は、ＰＮスペースの引き伸ばされた部分を示す。水平軸は、ＰＮチップ内のＰＮオフセットを表している。垂直軸は、受信されたパワーをｄＢで表している。ピーク６０および６２のグループは、２個の異なった基地局からの伝送を表している。示されているように、それぞれの基地局からの信号は、符号のついた振幅およびマルチパス事例の数の変化によって示される異なったマルチパス環境を経験している。
【００５１】
それぞれの基地局は、他の隣接する基地局と異なったＰＮオフセットでパイロット信号を送信する。したがって、遠隔ユニット５０の中で制御器５２は通常探索エンジン５６に複数の周囲の基地局の公称ＰＮオフセットに基づいたマルチパス信号事例を探すように命令する。複数の基地局からの信号事例を識別することによって、遠隔ユニット５０は、復調エレメントを適切に割り当てることによって、複数の基地局からの信号を同時に復調することができる。
【００５２】
図６は、典型的な集積期間で測定した、マルチパス信号の例証である。集積期間は、探索エンジンが、いかに長く、すなわちいかに多くのチップに、現在の信号強度を測定しているＰＮオフセットに留まるかに対応している。一般的に、集積期間が長いほど、信号測定の精度が優れている。測定精度の改善に関する一つの理由は、たとえば、フェードなどの、受信された信号強度における短期間の変動が、ＰＮオフセットにおける現在の平均信号強度に関するより正確な測定を与えて、“フェードされていない”信号測定と平均化されるであろうことである。測定における改善に関する他の理由は、一般的に集積期間が長いほど、ノイズフロアにおけるピークがより平均化されそうだということである。典型的には本質的にランダムであり、ガウシアンである雑音は、ピーク瞬時値よりはより低い総体的レベルに平均されるであろう。より低い総体的ノイズフロア６４は、測定の信号対雑音比における改善に対応する。
【００５３】
図６に示されたように、グループ６０におけるマルチパス事例６６、６８および７０、そしてまたグループ６２におけるマルチパス事例７２および７４は、ノイズフロア６４よりもかなり強い。ノイズフロアに比較して相対的に高い信号強度は、信号対雑音比を高くし、遠隔ユニット５０が基地局のマルチパス事例を識別しそして測定する能力を改善する。
【００５４】
図７は、より短い集積期間で測定された、図６に示されたと同じマルチパス信号の例を示している。より短い集積期間は、信号強度の測定においてより低い精度をもたらす。図７に示されたように、グループ６０のマルチパス事例６６、６８、および７０、グループ６２の、７２、および７４に、図６に示したより長い集積期間での測定よりも、一層の変動がある。信号のより大きな変動は、集積期間の減少のために、信号を平均することが減少した結果である。図７に示されたように、集積期間の減少は、マルチパス信号強度の測定を、たとえば、フェージングに起因する信号の瞬時的変動により影響され易くする。
【００５５】
また、図７に示されたものは、図６に示されたものよりも、ノイズフロア６４における測定ピークが増加している。ノイズフロア６４におけるピークは、集積期間が減少したことによる、平均化の減少に起因して増加する。マルチパス信号測定におけるより大きな変動は、より低い測定された信号レベルをもたらすかもしれず、そしてノイズフロアにおける増加したピークは、測定に関するより低い信号対雑音比をもたらす。この減少した信号対雑音比は、マルチパス事例を識別しそして測定する遠隔ユニットの能力を減少することによって、遠隔ユニットの動作に逆の影響を与える。
【００５６】
図７に示したように、減少された集積期間はまた、基地局のマルチパス事例と混同されるに十分な大きさの、瞬時的雑音スパイク７６をもたらすかも知れない。図６に示されたように、もしもより長い集積期間が用いられれば、雑音スパイク７６のエネルギーは、瞬時的レベルよりもより低い平均レベルをもたらして、対応するＰＮオフセットにおける他の測定と結合されるであろう。したがって、集積期間が減少するにつれて、遠隔ユニットが、パイロット信号のマルチパス事例を誤認し、あるいは全体として若干のより低い信号強度の基地局のマルチパス事例を見逃すかも知れないことが、より可能性をもってくる。
【００５７】
しかしながら、もしも優先される基地局のパイロット信号が十分に強ければ、パイロット信号のより低いレベルの複数事例を識別する能力は、システムの動作に対して決定的ではなくなる。優先される基地局の信号が十分強いときは、遠隔ユニットは、上首尾にメッセージを受信するのに適した信号レベルを得るために、多くのマルチパス信号事例を集める必要はない。
【００５８】
さらに、典型的には、遠隔ユニットが隣接する基地局に対してハンドオフを行う前には、隣接基地局の信号は一般に優先される基地局の信号よりもより強い。その結果、より弱い隣接基地局パイロット信号が適切に検出できなくて、たとえ遠隔ユニットが減少された集積期間を用いていても、遠隔ユニットはなお、優先される基地局と同様に強い、あるいはより強い、隣接基地局パイロット信号を検出することが可能である。したがって、優先される基地局のパイロット信号の強度が増加するに従って、遠隔ユニットは対応して集積期間を減少することが可能である。積分レベルは、上首尾にメッセージを受信するための適切な信号レベルを保証するのに十分な高い期間に維持されるであろう。集積期間の減少は、遠隔ユニットが与えられた期間内にさらに探索を行うことを許容して、個々の探索の期間を減少する。
【００５９】
遠隔ユニットは、優先される基地局から受信されたパイロット信号の振幅に基づいて、隣接基地局信号の探索のために用いられる集積期間を動的に調整することが可能である。
【００６０】
一つの実施例においては、遠隔ユニットは３個の集積期間を有している。もしも遠隔ユニットによって受信された、優先される基地局パイロット信号の強度が、第１の閾値レベルよりも小さければ、第１の集積期間、たとえば５１２チップが選択される。もしも優先される基地局の強度が第２の閾値レベルを超えていれば、第２の集積期間、たとえば２５６チップが選択される。
【００６１】
もしも遠隔ユニットによって受信された、優先される基地局パイロット信号の強度が、第１および第２の閾値の間にあれば、第３の集積期間、たとえば３６０チップが選択される。第１の閾値は、遠隔ユニットによって受信された優先される基地局のパイロット信号エネルギーが−１０ｄＢのときとすることができ、そして第２の閾値は、遠隔ユニットによって受信された全エネルギーに比較して−６ｄＢとすることができる。
【００６２】
他の実施例においては、一連の閾値、および対応する集積期間がある。優先される基地局のパイロット信号の信号強度が、一連の閾値以上に増加するにつれて、それに応じてより短い期間の集積期間が選択される。パイロット信号強度が、一連の閾値以下に低下して減少するとき、それに応じてより長い集積期間が選択される。もしもパイロット信号が、最小の閾値以下に低下すれば、デフォールト集積期間が選択される。たとえば、最低の限界値は、５１２チップの集積期間に対応して、遠隔ユニットによって受信された全エネルギーに比較して、−１０ｄＢであるかも知れない。優先される基地局パイロット信号の、３ｄＢの増加ごとに、集積期間は、１／√２の比率で、対応して減少される。
【００６３】
さらに他の実施例においては、集積期間は優先される基地局のパイロット信号の強度が変化するに従って、連続的に調整される優先される基地局のパイロット信号が最大の閾値を超えて増加するとき、それに応じて最小期間の集積期間が選択される。もしもパイロット信号が最小の閾値以下に低下するときは、デフォールト最大期間の集積期間が選択される。これらの二つの閾値の間においては、優先される基地局のパイロット信号に反比例した量によって集積期間が調整される。
【００６４】
図８は、優先される基地局のパイロット信号レベルに関して隣接する基地局探索のために、集積期間を調整する方法あるいは過程を示しているフローチャートである。図８に示された方法あるいは過程は、図５に示したように、ソフトウエアあるいはファームウエアの動作制御で、ハードウエア内で実行されることが可能である。フローは、ブロック８０において開始する。ブロック８２においては、集積期間が初期化される。フローはそこで、ブロック８４に続き、そこでは、遠隔ユニットはそのアクティブ状態に入る。そのインアクティブおよびアクティブ状態の間を移行する期間中、遠隔ユニットは、たとえば探索エンジンなどの、電力が取り外されていた選択された回路に電力を供給する。フローはブロック８６に続き、そこでは遠隔ユニットは、優先される基地局のパイロット信号の再取得、および測定探索を実行する。さらに、遠隔ユニットは、優先される基地局から隣接基地局に関する公称ＰＮオフセット（nominal PN offset）を受信する。フローはそこでブロック８８に続く。
【００６５】
ブロック８８においては、優先される基地局のパイロット信号レベルが、それが閾値を超えているか決定するために吟味される。もしもパイロット信号レベルが、全く閾値を超えていなかったか、あるいはレベルよりも少なく減少して来たかの何れかで、閾値を超えていなければ、フローはブロック９０に続く。ブロック９０においては、集積期間は初期値に設定される。フローはそこで、ブロック９４に続く。再びブロック８８を参照して、もしも優先される基地局のパイロット信号強度が閾値レベルを超えていれば、フローはブロック９２に続き、そこでは、集積期間は、優先される基地局パイロット信号強度に関して調整される。上に論じたように、集積期間は、パイロット信号強度が閾値を超えているかによって、二つの期間の一つから選択されることができる。さらに、集積期間は、パイロット信号強度がそれぞれ増加および減少するにつれて、期間を減少および増加するような一連の集積期間から選択されることができる。さらに、集積期間は、パイロット信号強度に関して、連続的に調整されることができる。集積期間の調整の後、フローはブロック９４に続く。
【００６６】
ブロック９４においては、ブロック９０あるいは９２のいずれかで決定された集積期間を用いて、隣接基地局に関する探索が実行される。探索は、ブロック９４において、遠隔ユニットが、優先される基地局によってインアクティブ状態に再び入るよう命令されるか、あるいは割り当てられたスロットの終了が起きるかのいずれかまで継続する。フローはそこで、ブロック９６に続き、そこでは遠隔ユニットはインアクティブ状態に入る。遠隔ユニットは、時間フローがブロック８４に続く次のアクティブ状態が起きるまで、インアクティブ状態に留まる。
【００６７】
以上に論じた実施例は、本発明の観点を、無線通信システムにおける優先される基地局のパイロット信号に関して使用したとして記述しているが、当業界において普通に熟練した人にとっては、開示された技術はまた、同期信号、あるいは複数の装置をモニターする任意のシステムなどの、基地局によって送信される他の信号に適用可能であることは容易に明白であろう。たとえば、遠隔ユニットは基地局により送信された信号を復号し、そしてビット誤りの数を評価するかも知れない。誤りの数、ビット誤り率は、遠隔ユニットにより受信された信号の品質の表示であり、そしてその結果、集積期間はこれに従って調整されることが可能である。たとえば、集積期間は、高いビット誤り率に対応して増加されることができる。さらに、この技術は、たとえば、低軌道衛星などの複数のソースから送信されたデータ信号あるいはインターネットトラフィックとともに使用されることができる。
【００６８】
探索過程、復調エレメント割り当て、および探索エンジンに関するさらなる情報は、次の中に見いだされることができる。
【００６９】
（１）“ＣＤＭＡ通信システムにおいて探索取得を実行するための方法および装置”と題する、米国特許５，６４４，５９１
（２）“ＣＤＭＡ通信システムにおいて探索取得を実行するための方法および装置”と題する、米国特許５，８０５，６４８
（３）“バースティ（ｂｕｒｓｔｙ）信号を探索する方法”と題する、米国特許５，８６７，５２７および５，７１０，７６８
（４）“拡散スペクトル多重接続通信システムのための移動復調器アーキテクチャ”と題する、米国特許５，７６４，６８７
（５）“セルラ通信システムのためのパイロット信号探索技術”と題する、米国特許５，５７７，０２２
（６）“拡散スペクトル多重接続通信システムのためのセルサイト復調アーキテクチャ”と題する、米国特許５，６５４，９７９
（７）“マルチチャネル復調器”と題する、１９９７年１２月９日に提出された、アプリケーション０８／９８７，１７２
（８）“プログラマブルマッチドフィルタサーチャ”と題する、１９９９年３月３１日に提出された、アプリケーション０９／２８３，０１０
これらのそれぞれは、これについて譲渡人に譲渡され、そして本特許に参照によって完全に組み込まれている。
【００７０】
以上の記述は、本発明のある実施例を詳述している。しかしながら、上述がいかに詳細に見えても、本発明はその精神あるいは本質的な特性から離れることなしに他の特定の形態に具体化されるかも知れないことは正しく評価されるであろう。記述された実施例は、すべての点で説明的のみであってそして限定的ではないとして考慮されるべきものであり、そしてその結果、本発明の範囲は、上の記述によってというよりはむしろ、付加された特許請求の範囲によって示されている。特許請求範囲と等価の意義および範囲内のすべての変更はそれらの範囲の中に包含されるべきものである。
【図面の簡単な説明】
【図１】  図１は、典型的な現代の無線通信システムを示している、代表的線図である。
【図２】  図２は、遠隔ユニットに接近している単一の基地局からのパイロット信号の、一連の例示的な複数の信号事例を示している図表である。
【図３】  図３は、遠隔ユニットに接近している複数の基地局からのパイロット信号の、一連の例示的な複数の信号事例を示している図表である。
【図４】  図４は、スロッテッドモード通信システムにおいて、遠隔ユニットの割り当てられたスロットにおける、インアクティブ状態からアクティブ状態への移行を示している代表的線図である。
【図５】  図５は、遠隔ユニットの実施例に関するブロック線図である。
【図６】  図６は、典型的な集積期間を用いて受信された、２個の基地局からのパイロット信号に関する一連の例示的な複数の信号事例を示している図表である。
【図７】  図７は、短縮された集積期間を用いて受信された、２個の基地局からのパイロット信号に関する一連の例示的な複数の信号事例を示している図表である。
【図８】  図８は、隣接した基地局探索ウインドウのサイジングのための方法に関するフローチャートである。
【符号の説明】
１０Ａ、１０Ｂ、１０Ｃ  …  遠隔ユニット
１２  …  基地局
１４  …  順方向リンク
１６  …  逆方向リンク
２２  …  スパイク
３０、３２  …  ピーク
４０  …  インアクティブ状態
４２  …  アクティブ状態
４４  …  移行状態
４６  …  準備期間
４８  …  スロット期間
５０  …  遠隔ユニット
５１  …  受信機
５２  …  デインターリーバ
５３  …  復号器
５４  …  メッセージ分析器
５５  …  制御器
５６  …  探索リスト
５７  …  探索エンジン
５８  …  データアレイ
６０  …  グループ
６２  …  グループ
６４  …  ノイズフロア
７６  …  雑音スパイク
【図１】
0004897178.tif 000002
【図２】
0004897178.tif 000003
【図３】
0004897178.tif 000004
【図４】
0004897178.tif 000005
【図５】
0004897178.tif 000006
【図６】
0004897178.tif 000007
【図７】
0004897178.tif 000008
【図８】
0004897178.tif 000009